(57)【要約】【課題】急傾斜の法面や狭小な舗装現場において、天然土砂を用いた舗装材料を簡便に施工する。【解決手段】乾燥処理した天然土砂と、無機系固化材と、透水材または吸収保水材とを含む土砂系舗装材に、水を混練して舗装材料を調製する。この舗装材料をベルトコンベヤ２で吹き付け機３に投入し、コンプレッサ４で吹き付け機３に圧縮空気を供給し、舗装材料をノズル６から舗装面に吹き付ける。こうした吹き付け工法により、舗装面に舗装材料が少しずつ徐々に敷き均されていき、舗装面上の舗装材料は固定化機能に優れる。３０°以上の急な傾斜面でも、舗装材料が傾斜面に沿ってずれ下がらない。【選択図】図１
2005171583.tif 000002
【特許請求の範囲】
【請求項１】
乾燥処理した天然土砂と、無機系固化材と、透水材または吸収保水材とを含む土砂系舗装材に、水を混練して舗装材料を調製し、この舗装材料を舗装面に吹き付けることを特徴とする舗装方法。
【請求項２】
乾燥処理した天然土砂と、無機系固化材と、透水材または吸収保水材とを含む土砂系舗装材を調製し、この土砂系舗装材を舗装面に吹き付ける際に、水を混練して舗装材料を調製しつつ舗装面に吹き付けることを特徴とする舗装方法。
【請求項３】
前記天然土砂よりも小さい天然鉱物の粒子が前記土砂系舗装材に配合されていることを特徴とする請求項１又は２に記載の舗装方法。
【請求項４】
前記舗装材料を保持する網を当該舗装材料の吹き付け前に前記舗装面に固定することを特徴とする請求項１乃至３のいずれかに記載の舗装方法。
【発明の詳細な説明】
【技術分野】
【０００１】
本発明は、特に急傾斜の法面や狭小な舗装現場に適用するに好適な舗装方法に関するものである。
【背景技術】
【０００２】
近年、環境問題が社会的に大きくクローズアップされる中、道路の中央分離帯や公園の遊歩道などでは、コンクリートやアスファルトに代え、天然土砂を用いて環境への負荷を低減した舗装材料が用いられつつある。これにより、ヒートアイランド現象や温暖化現象が抑えられ、雑草対策、泥濘化防止、照り返し対策など環境面に優れた特性が発現される。
【０００３】
従来、この種の舗装材料を施工する際には、粉粒体の舗装材料を必要厚さに敷き均した後、散水して表面を固めていた（例えば、特許文献１参照）。
【特許文献１】特開２００３−１２９４０５号公報
【発明の開示】
【発明が解決しようとする課題】
【０００４】
しかし、これでは次のような不都合があった。
【０００５】
第１に、舗装材料を敷き均してから散水するため、急傾斜の法面を舗装する際には、粉粒体の舗装材料が傾斜面に沿ってずれ下がったり、舗装材料を所定の厚さに敷き均して固定することが困難であった。その結果、施工面にクラックが入るなど、製品の安定性に問題が生じる恐れがある。したがって、舗装面は平地もしくは緩やかな傾斜面に限られ、急な傾斜面に舗装することは難しい。
【０００６】
第２に、狭小な舗装現場（例えば、家の縁の下などの高さが低い場所）においては、作業者が入りにくいため、人力による舗装材料の敷き均し作業に支障を来す。そして、このような場所では、コンクリートで覆うか、そのまま放置するケースが多いことから、簡便な舗装方法が強く求められていた。
【０００７】
本発明は、このような事情に鑑み、急な傾斜面や狭小な舗装現場においても、天然土砂を用いた舗装材料を簡便に施工することが可能な舗装方法を提供することを目的とする。
【課題を解決するための手段】
【０００８】
まず、請求項１に係る発明は、乾燥処理した天然土砂と、無機系固化材と、透水材または吸収保水材とを含む土砂系舗装材に、水を混練して舗装材料を調製し、この舗装材料を舗装面に吹き付けることを特徴とする。
また、請求項２に係る発明は、乾燥処理した天然土砂と、無機系固化材と、透水材または吸収保水材とを含む土砂系舗装材を調製し、この土砂系舗装材を舗装面に吹き付ける際に、水を混練して舗装材料を調製しつつ舗装面に吹き付けることを特徴とする。
また、請求項３に係る発明は、前記天然土砂よりも小さい天然鉱物の粒子が前記土砂系舗装材に配合されていることを特徴とする。
また、請求項４に係る発明は、前記舗装材料を保持する網を当該舗装材料の吹き付け前に前記舗装面に固定することを特徴とする。
【発明の効果】
【０００９】
本発明によれば、吹き付け工法を採用しているため、急な傾斜面や狭小な舗装現場においても、舗装材料を徐々に均一に所定の厚さに敷き均して固定することが可能となり、舗装材料が傾斜面に沿ってずれ下がることがなくなる。
【００１０】
また、天然土砂よりも小さい天然鉱物の粒子を土砂系舗装材に混練すれば、舗装材料を吹き付ける際に、全体の粒子密度が小さくなって吹き付けノズルでの吹き付け抵抗が小さくなり、吹き付け施工の効率がよくなる。しかも、天然鉱物の粒子は天然土砂と同じ天然鉱物系材料なので、舗装材料としての特性を劣化させない。
【００１１】
さらに、施工前にあらかじめ舗装材料を保持する網を舗装面に固定しておけば、舗装材料が網目に引っ掛かって保持され、舗装面での舗装材料の固定化機能が向上する。
【発明を実施するための最良の形態】
【００１２】
以下、本発明の実施形態を図面に基づいて説明する。
【００１３】
舗装設備１は、図１に示すように、ベルトコンベヤ２を有しており、ベルトコンベヤ２の前方には可動式の吹き付け機３が設置されている。吹き付け機３には、コンプレッサ４が圧縮空気を供給しうるように接続されているとともに、可撓性のあるホース５を介してノズル６が取り付けられている。
【００１４】
舗装設備１は以上のような構成を有するので、この舗装設備１により、傾斜した法面を舗装する際には、次の手順に従う。
【００１５】
まず、所定の土砂系舗装材に水を練り混ぜて舗装材料を調製する。この土砂系舗装材は、乾燥処理した天然土砂（例えば、真砂土など）を主成分（８０〜９０％）とし、これに無機系固化材（１０〜１５％）と、透水材または吸収保水材（１〜５％）と、顔料（１〜５％）とを配合したものであり、透水係数１０-6〜１０-1ｃｍ／ｓ程度の透水性を備えている。さらに、主成分（天然土砂）よりも小さい天然鉱物の粒子が土砂系舗装材に対して１００〜１１０％配合されている。ここで、副成分の無機系固化材は、石灰、珪素、粘土、石膏、鉄分を主成分とし、必要に応じて無害な汎用的鉱物を含むものである。また、透水材または吸収保水材は、ゼオライト、ベントナイト、セルロース等の鉢物培養土用湿潤粒剤などを主成分とするものである。また、顔料としては、ベンガラなど舗装環境に違和感のない配色が望ましい。さらに、主成分（天然土砂）よりも小さい天然鉱物の粒子としては、海砂や川砂などを挙げることができる。なお、土砂系舗装材の各成分の配合比率の単位「％」は質量百分率を意味する。そして、この土砂系舗装材に水を練り混ぜ、これを舗装材料とする。
【００１６】
一方、図２に示すように、法面を平らに均らすように転圧して舗装面９を形成し、舗装材料を保持する網１０を舗装面９に固定する。この網１０としては、ラス金網（直径２ｍｍ×５０ｍｍ×５０ｍｍ）などが適している。
【００１７】
そして、舗装面９の近傍に舗装設備１を設置した後、図１に示すように、先程の舗装材料をベルトコンベヤ２で吹き付け機３に投入する。
【００１８】
次に、コンプレッサ４を駆動して吹き付け機３に圧縮空気を供給する。すると、吹き付け機３内の舗装材料が、ホース５を介してノズル６に供給され、図２に示すように、ノズル６の吐出口から舗装面９に吹き付けられる。このとき、舗装面９の全面にわたってノズル６を上下左右に適宜移動させる。
【００１９】
すると、舗装面９に舗装材料が少しずつ徐々に敷き均されていくので、舗装面９上の舗装材料は固定化機能に優れ、法面が３０°以上の急な傾斜面であっても舗装材料が傾斜面に沿ってずれ下がってしまう恐れはない。
【００２０】
さらに、舗装面９には網１０が固定されているので、舗装材料が網１０に引っ掛かって保持される。したがって、舗装面９上の舗装材料の固定化機能は一層向上する。
【００２１】
また、土砂系舗装材には、その主成分である天然土砂よりも小さい天然鉱物の粒子が含まれているため、全体の粒子密度が小さくなり、舗装材料の吹き付け時にノズル６での吹き付け抵抗が小さくなる。その結果、吹き付け施工の効率がよくなり、工期が短縮される。しかも、天然鉱物の粒子は天然土砂と同じ天然鉱物系材料であるため、これを配合しても舗装材料としての特性を劣化させる不具合は生じない。
【００２２】
こうして舗装材料が所定の厚さ（例えば、３〜８ｃｍ）に達したところで、吹き付け作業を停止し、一定期間（例えば、１週間程度）だけ養生する。すると、舗装面９上で舗装材料が固化し、ここで法面の舗装が完了する。
【００２３】
このように、舗装材料は吹き付け工法によって舗装面９に少しずつ徐々に敷き均されていくので、天然土砂を用いた舗装材料を簡便に施工することが可能となる。
【００２４】
また、舗装材料は、天然土砂を主成分とし、透水係数１０-6〜１０-1ｃｍ／ｓ程度の透水性を備えているので、天然土砂の風合いを活かして緑と調和する景観をかもし、鑑賞用植物の育成を阻害せずに雑草を防ぐことができる。
【００２５】
また、舗装材料に含まれる無機系固化材は、養生後に適度な強度を持つ保護面を形成し、耐久性を維持する働きをするため、風が強い屋上や道路上でも天然土砂が舞う恐れはない。
【００２６】
また、法面に雨が降った場合、舗装材料に含まれる吸収保水材の吸水機能により、雨水が舗装材料中へ吸収されるので、降雨による水溜りの発生を抑えることができる。しかも、舗装材料に含まれる吸収保水材の保水機能により、雨水などの水分が舗装材料中に長く存在するため、炎天下の陽射しを受けても照返しを軽減するとともに、苔植物を生育することができる。
【００２７】
また、舗装材料には有害物質が含まれていないので、人体や周囲の環境に害を及ぼす危険性はない。
【００２８】
さらに、舗装材料は、主成分の天然土砂に無機系の成分を加えた組成なので、産業廃棄物とならずに廃棄後に土壌へ還元することができる。
【００２９】
なお、上述の実施形態においては、土砂系舗装材に水を練り混ぜて舗装材料とした状態でベルトコンベヤ２に運搬する湿式法を採用した場合について説明したが、舗装材料の吹き付け直前に水を土砂系舗装材に練り混ぜる乾式法を採用することもできる。
【００３０】
すなわち、この乾式法では、図３に示すように、ノズル６に給水ポンプ７が接続された舗装設備１を用いる。そして、舗装作業時には、土砂系舗装材がノズル６に達するまでは水を加えず、舗装材料の吹き付け直前に、給水ポンプ７を駆動してノズル６に給水することにより、土砂系舗装材に水を練り混ぜるようにする。その他の工程については、上述の実施形態と同様であるので、同じ作用効果を奏する。
【００３１】
また、上述の実施形態においては、舗装材料を圧縮空気でノズル６に供給するエア式を採用した場合について説明したが、舗装材料をポンプでノズル６に供給するポンプ式を採用することもできる。
【００３２】
すなわち、このポンプ式の湿式法では、図４に示すように、ベルトコンベヤ２に代えてトラックミキサ１２を採用し、可動式の吹き付け機３に代えて自走式の吹き付け機１３を採用し、吹き付け機１３とノズル６との間にホース５およびエア供給管１４を配管した舗装設備１を用いる。そして、舗装作業時には、吹き付け機１３に搭載されたポンプ（図示せず）を駆動して舗装材料をノズル６に供給するとともに、吹き付け機１３からエア供給管１４を介して圧縮空気をノズル６に供給する。その他の工程については、上述の実施形態と同様であるので、同じ作用効果を奏する。
【００３３】
また、上述の実施形態においては、舗装材料または土砂系舗装材を吹き付け機３、１３に投入する材料投入手段として、ベルトコンベヤ２やトラックミキサ１２を使った場合について説明したが、これら以外の材料投入手段を代用することも可能である。
【００３４】
また、上述の実施形態においては、吹き付け機３からノズル６に舗装材料を供給する材料供給管としてホース５を用いた場合について説明したが、ホース５以外の材料供給管（例えば、鉄管など）を代用してもよい。
【００３５】
また、上述の実施形態においては、顔料を含む土砂系舗装材を用いた場合について説明したが、顔料は配合しなくてもよい。
【００３６】
また、上述の実施形態においては、傾斜した法面を舗装する場合について説明したが、家の縁の下などの狭小な舗装現場で舗装する場合にも本発明を適用することができる。この場合、吹き付け工法であるが故に、作業者が狭小な舗装現場に入り込まなくても舗装材料の敷き均し作業を容易に実施することができ、天然土砂を用いた舗装材料を簡便に施工することが可能となる。
【図面の簡単な説明】
【００３７】
【図１】本発明に係る舗装方法の第１の実施形態（エア湿式法）が適用される舗装設備を示す模式図である。
【図２】傾斜面に舗装材料を吹き付ける工程を示す図である。
【図３】本発明に係る舗装方法の第２の実施形態（乾式法）が適用される舗装設備を示す模式図である。
【図４】本発明に係る舗装方法の第３の実施形態（ポンプ湿式法）が適用される舗装設備を示す模式図である。
【符号の説明】
【００３８】
１……舗装設備
２……ベルトコンベヤ（材料投入手段）
３、１３……吹き付け機
４……コンプレッサ
５……ホース
６……ノズル
７……給水ポンプ
９……舗装面
１０……網
１２……トラックミキサ（材料投入手段）
【図１】
2005171583.tif 000003
【図２】
2005171583.tif 000004
【図３】
2005171583.tif 000005
【図４】
2005171583.tif 000006